(57)【要約】【解決手段】基準感性情報データベース１は、複数の感性語に対する標準者の感性に基づく感性調整値と、該感性調整値に対応する色調整パラメータを記憶し、感性情報設定部２は、被処理画像に対する利用者個人の所望する色調整を該利用者個人の感性に基づいて上記複数の感性語の中から設定させ、感性情報変換部３は、該設定された感性語の感性調整値を利用者個人の感性に基づいて標準者の感性に基づく感性調整値から算出し、個別感性情報のずれ記憶部４は、その算出結果を記憶し、画像処理パラメータ導出部５は、算出結果に基づいて基準感性情報データベース１から所定の色調整パラメータを選択する。【効果】第１の記憶部に保持するデータ量をより少なくした画像処理装置、及び評価試験を最低回数に抑えた画像処理方法の実現を可能にする。【選択図】        図１
2005020344.tif 000002
【特許請求の範囲】
【請求項１】
予め定められている複数の感性語のそれぞれに対する標準者の感性に基づく感性調整値と、該感性調整値のそれぞれに対応する色調整パラメータを記憶する第１の記憶部と、
被処理画像に対する利用者個人の所望する色調整を該利用者個人の感性に基づいて前記複数の感性語の中から設定させる感性情報設定部と、
前記利用者個人の感性に対する感性語の感性調整値を記憶する第２の記憶部と、
該設定された感性語の感性調整値を第２の記憶部に格納された前記利用者個人の感性に対する感性調整値に基づいて前記標準者の感性に基づく感性調整値を基準にして算出する演算部と、
前記演算部の算出結果に基づいて前記第１の記憶部から所定の色調整パラメータを選択する選択部と、
前記所定の色調整パラメータに基づいて前記被処理画像の色調整を実行する画像処理部とを備える画像処理装置。
【請求項２】
請求項１に記載の画像処理装置に於いて、
前記利用者個人の所望する色調整は、
１又は複数の感性語と、該感性語に対応させた度合いを示すパラメータとの組からなることを特徴とする画像処理装置。
【請求項３】
請求項１又は請求項２に記載の画像処理装置に於いて、
前記第２の記憶部に既に格納されている利用者個人の感性に基づく感性語の感性調整値を、利用者個人の感性の変化に基づいて、再度算出するずれ情報変更部を更に備えることを特徴とする画像処理装置。
【請求項４】
被処理画像に対する利用者個人の所望する色調整を該利用者個人の感性に基づいて、予め定められている複数の感性語の中から設定する感性語入力手順と、
該設定された感性語の感性調整値を前記利用者個人の感性に基づいて、予め入力されている標準者の感性に基づく感性調整値を基準にして算出する感性調整情報算出手順と、
前記設定された感性語の感性調整値に基づいて、予め定められている複数の色調整パラメータの中から所定の色調整パラメータを選択する色調整パラメータ選択手順と、
前記所定の色調整パラメータに基づいて前記被処理画像を処理する画像処理手順とを備える画像処理方法。
【請求項５】
予め定められている複数の感性語のそれぞれに対する標準者の感性に基づく色調整値と、該色調整値のそれぞれに対応する色調整パラメータを記憶する第１の記憶部と、
被処理画像に対する利用者個人の所望する色調整を該利用者個人の感性に基づいて前記複数の感性語の中から設定させる感性情報設定部と、
該設定された感性語の色調整値を前記利用者個人の感性に基づいて前記標準者の感性に基づく色調整値を基準にして算出する演算部と、
該演算部の算出結果を前記利用者個人と前記設定された感性語に対応させて記憶する第２の記憶部と、
前記演算部の算出結果に基づいて前記第１の記憶部から所定の色調整パラメータを選択する選択部と、
前記所定の色調整パラメータに基づいて前記被処理画像の色調整を実行する画像処理部とを備える画像処理装置。
【発明の詳細な説明】
【０００１】
【発明の属する技術分野】
本発明は、カラー方式プリンタ等、カラー画像を処理する画像処理装置及び画像処理方法に関する。
【０００２】
【従来の技術】
色調整に用いられる色調整パラメータの複雑な設定操作を簡易化するために、例えば「もっと明るく」、等の人間の感性に近い言葉を上記色調整パラメータに対応させる技術開発が進められている（例えば特許文献１参照）。このような技術では、色調整の複雑な設定を無くして使い勝手を良くし、迅速に設定できるようにすると共に、色調整時に色調整後の出力画像の変化を容易に想像できるようにしている。
【０００３】
かかる目的を達成するために複数の色調整パラメータと、その色調整パラメータを用いて色調整された出力画像の印象とを感覚的な言葉で定義した感性語で表現し、ユーザに感性語を指定させることで、色調整パラメータを導出し、その色調整パラメータを用いて色調整を実行している。
【０００４】
【特許文献１】
特開平７−２０３２３０号公報（要約）
【０００５】
【発明が解決しようとする課題】
従来の技術では、標準者の感性によって求められた感性語と色調整パラメータとを直結対応させている。ところが、現実には、人それぞれによって感性が異なる場合が多い。従って、従来の技術を用いる複数の利用者の感性が各々異なる場合には、その利用者各々の感性に基づく感性語と色調整パラメータとを直結対応させたデータベースを新たに作成し、保持する必要が生じる。
【０００６】
又、従来の技術では、指定する「華やか」等の感性語を一例として５個に絞ったと仮定しても、その組み合わせと、程度差の段階表示を考慮すると、データベースに保持するデータ量は膨大な量になる。
本発明では、かかる解決すべき課題を解決し、複数の利用者の感性が各々異なる場合であっても、その利用者各々の感性に基づく感性語と色調整パラメータとの対応を容易に設定でき、且つ、データベースに保持するデータ量をより少なくする、画像処理装置及び画像処理方法の実現を目的とする。
【０００７】
【課題を解決するための手段】
本発明は以上の点を解決するため次の構成を採用する。
〈構成１〉
予め定められている複数の感性語のそれぞれに対する標準者の感性に基づく感性調整値と、該感性調整値のそれぞれに対応する色調整パラメータを記憶する第１の記憶部と、被処理画像に対する利用者個人の所望する色調整を該利用者個人の感性に基づいて上記複数の感性語の中から設定させる感性情報設定部と、上記利用者個人の感性に対する感性語の感性調整値を記憶する第２の記憶部と、該設定された感性語の感性調整値を第２の記憶部に格納された上記利用者個人の感性に対する感性調整値に基づいて上記標準者の感性に基づく感性調整値を基準にして算出する演算部と、上記演算部の算出結果に基づいて上記第１の記憶部から所定の色調整パラメータを選択する選択部と、上記所定の色調整パラメータに基づいて上記被処理画像の色調整を実行する画像処理部とを備える画像処理装置。
【０００８】
〈構成２〉
構成１に記載の画像処理装置に於いて、上記利用者個人の所望する色調整は、１又は複数の感性語と、該感性語に対応させた度合いを示すパラメータとの組からなることを特徴とする画像処理装置。
【０００９】
〈構成３〉
構成１又は構成２に記載の画像処理装置に於いて、上記第２の記憶部に既に格納されている利用者個人の感性に基づく感性語の感性調整値を、利用者個人の感性の変化に基づいて、再度算出するずれ情報変更部を更に備えることを特徴とする画像処理装置。
【００１０】
〈構成４〉
被処理画像に対する利用者個人の所望する色調整を該利用者個人の感性に基づいて、予め定められている複数の感性語の中から設定する感性語入力手順と、該設定された感性語の感性調整値を上記利用者個人の感性に基づいて、予め入力されている標準者の感性に基づく感性調整値を基準にして算出する感性調整情報算出手順と、上記設定された感性語の感性調整値に基づいて、予め定められている複数の色調整パラメータの中から所定の色調整パラメータを選択する色調整パラメータ選択手順と、上記所定の色調整パラメータに基づいて上記被処理画像を処理する画像処理手順とを備える画像処理方法。
【００１１】
〈構成５〉
予め定められている複数の感性語のそれぞれに対する標準者の感性に基づく色調整値と、該色調整値のそれぞれに対応する色調整パラメータを記憶する第１の記憶部と、被処理画像に対する利用者個人の所望する色調整を該利用者個人の感性に基づいて上記複数の感性語の中から設定させる感性情報設定部と、該設定された感性語の色調整値を上記利用者個人の感性に基づいて上記標準者の感性に基づく色調整値を基準にして算出する演算部と、該演算部の算出結果を上記利用者個人と上記設定された感性語に対応させて記憶する第２の記憶部と、上記演算部の算出結果に基づいて上記第１の記憶部から所定の色調整パラメータを選択する選択部と、上記所定の色調整パラメータに基づいて上記被処理画像の色調整を実行する画像処理部とを備える画像処理装置。
【００１２】
【発明の実施の形態】
以下、本発明の実施の形態を具体例を用いて説明する。
〈具体例１の構成〉
本具体例では、予め定められている複数の感性語、例えば「華やか」、「穏やか」等に対する標準者の感性に基づく感性調整値と、該感性調整値のそれぞれの数値に対応する色調整パラメータを記憶する基準感性情報データベースの他に、例えば「華やか」、「穏やか」等に対する利用者個人の感性に基づく感性調整値を記憶する個別感性情報のずれ記憶部を備える。この利用者個人の感性に基づく感性調整値は、標準者の感性と利用者個人の感性との差を所定の手順を用いて認識した上で、必要に応じて算出される。
【００１３】
この算出された利用者個人の感性に基づく感性調整値を用いて基準感性情報データベースから、その数値に対応する色調整パラメータを読み出して画像処理を実行する。こうすることによって、データベースに保持するデータ量をより少なくした画像処理装置及び画像処理方法を実現する事ができる。かかる目的を達成するために具体例１の画像処理装置は、次のように構成される。
【００１４】
図１は、具体例１の構成のブロック図である。
図より具体例１の画像処理装置は、基準感性情報データベース１、感性情報設定部２、感性情報変換部３、個別感性情報のずれ記憶部４、画像処理パラメータ導出部５、画像処理部６、制御部７を備える。
【００１５】
基準感性情報データベース１は、予め定められている複数個の感性語のそれぞれに対する標準者の感性に基づく感性調整値と、その感性調整値のそれぞれに対応する色調整パラメータとを対応させて、予め記憶するデータベースである。
ここで標準者とは、処理対象としている画像を取り扱う利用者であって、色彩画像に関する感性が多数の利用者の標準であると想定される仮想の人物である。
【００１６】
ここで取り扱う感性とは、「華やか」、「派手」、「穏やか」等の感性語から受け取る印象を言い、この印象の強さには、画像処理装置を取り扱う利用者毎に差異がある。即ち、例えば「ゴージャス」といった語句からは、「華やか」と受け取る利用者も居れば、「派手」と受け取る利用者も居るからである。尚、取り扱われる感性語は、例えば小林重順著、日本カラーデザイン研究所編「カラーイメージスケール」に記載されている言葉、及びそれらの言葉に類似した言葉、又は、対義語である。更に、これらの感性語を複数個組み合わせたもの、及びそれらの感性語それぞれに対し、その度合いを表すパラメータを付加した感性情報も取り扱われる。
【００１７】
感性調整値は、各感性語を感性語空間上に配置した場合の位置（空間座標）を指している。感性語空間とは、感性語同士がどの位近いかという、多数の人間に対するアンケートにより感性語間の距離の統計的平均値を導出して得られた感性語間の距離のデータを利用し、多次元尺度法によって感性語間の距離の関係を保たせた状態で配置した空間を言う。以下に他の図を用いて感性語空間座標の一例について説明する。
【００１８】
図２は、感性語空間の説明図である。
図に示すように一例として感性語「穏やか」と感性語「華やか」とを２次元（平面）感性語空間に表してある。
一例として感性語「穏やか」の空間座標を（０、０）、感性語「華やか」の空間座標を（４、０）とする。従って、感性語「穏やか」と感性語「華やか」は、感性語空間上で４離れている。ここで、感性語「穏やか」から５離れ、感性語「華やか」から３離れている感性語「派手」を感性語空間上に配置すると空間座標（４、３）に配置される事になる。このようにして多数の感性語が感性語空間に表される。
【００１９】
上記感性語「穏やか」、感性語「華やか」、感性語「派手」の各々の空間座標（０、０）、（４、０）、（４、３）が、処理対象とされている画像を各感性語に対応させて色調整する場合の各感性調整値となる。この感性調整値のときに、再現画像の色彩、赤、青、緑、シアン、マゼンタ、イエロー、それぞれの濃度、ガンマテーブル、コントラスト、等をどのように補正すれば良いかを予め算出してある値が色調整パラメータである。
【００２０】
再度図１に戻って、感性情報設定部２は、処理対象とされている画像に対する利用者個人の色調整要求を該利用者個人の感性に基づいて上記複数の感性語の中から設定させる部分である。
例えばディスプレイ上に現れた感性語の内から利用者が選択した感性語と該感性語の周辺の感性調整値に基づく画像が順次ディスプレイ上に表示され、利用者はその中から自己の感性に基づいて所定の画像を選択し、自己が求めている調整要求を設定する部分である。
【００２１】
感性情報変換部３は、利用者個人の感性に基づく感性語「華やか」（３、０）から今回の処理対象となる画像の感性調整値を（３、０）と定める。
尚、利用者が、例えば「華やか」８０％、「穏やか」２０％を要求した場合には、利用者個人の感性に基づく感性語「華やか」の感性調整値（３、０）と同様に、利用者個人の感性に基づく感性語「穏やか」の感性調整値（例えば（０、０）と仮定）とを求め、両者の値から、（３、０）×０．８＋（０、０）×０．２＝（２．５、０）として複数の感性語からなる感性調整値を算出する部分でもある。
【００２２】
個別感性情報のずれ記憶部４は、利用者個人と、利用者個人の感性に基づく感性語と、その感性語の感性調整値を対応させて格納しておくメモリである。利用者個人の感性に基づく感性語と、その感性語の感性調整値を対応付ける方法について述べる。
【００２３】
感性語「華やか」を一例に挙げて説明する。上記標準者の感性に基づく感性語「華やか」の感性調整値は図２に示したように（４、０）であるとする。しかし、上記感性情報設定部２が感性語「華やか」の感性調整値として（４、０）の他に、その周辺座標である（３、０）、（５、０）、（４、−１）、（４、１）に基づく画像を順次ディスプレイ上に表示し、利用者がその中から自己の感性に基づいて（３、０）に基づく画像を選択したとする。このとき感性情報設定部２は、利用者個人の感性に基づく感性語「華やか」として感性調整値（３、０）を設定したことになる。
以上の動作は、制御部７の制御に基づいて、予め定められているプログラムに従って一義的に実行される。このプログラムは、感性情報設定部２の内部に備えても良いし、他の制御プログラムと共に図示していないＲＯＭ（リードオンリメモリ）に格納されていても良い。
【００２４】
上記の例に従えば、個別感性情報のずれ記憶部４には、当該利用者の感性に基づく感性語「華やか」の感性調整値は、（３、０）である、として格納されることになる。即ち、標準者の感性による感性語「華やか」の感性調整値（４、０）は、上記基準感性情報データベース１に格納されているが、当該利用者の感性による感性語「華やか」の感性調整値（３、０）は、個別感性情報のずれ記憶部４に格納されることになる。又「穏やか」の感性調整値（０、０）は、標準者の感性と当該利用者の感性が等しいので基準感性情報データベース１と個別感性情報のずれ記憶部４の双方に感性調整値（０、０）が格納され、次回からの感性調整値として用いられることになる。
【００２５】
画像処理パラメータ導出部５は、感性情報変換部３によって算出された感性調整値に基づいて、この感性調整値に対応する色調整パラメータを上記基準感性情報データベース１から検索する部分である。
画像処理部６は、上記処理対象としている画像（対象画像）を受け入れて所定の色調整パラメータに基づいて画像の色変換を実行して処理画像を出力する部分である。
制御部７は、上記構成部分全体を制御して画像処理方法を各手順に従って実行するＣＰＵ（中央演算処理装置）である。
【００２６】
次に、以上説明した具体例１の画像処理装置が適用されるシステムの一例について説明する。
図３は、本発明の適用システムの構成図である。
図に示すように、本発明の適用システムは、キーボード１１又はマウス１２によって利用者の処理要求を受け入れて画像処理を実行するパーソナルコンピュータ（画像処理装置）１３と、感性画像処理を実行した結果を出力するプリンタ（画像形成装置）１４と、インタフェースとで構成される。
【００２７】
〈具体例１の動作〉
図４は、具体例１の動作のフローチャートである。
図に示す具体例１の画像処理装置の動作についてステップＳ１−１からステップＳ１−５までステップ順に説明する。
【００２８】
ステップＳ１−１
画像処理装置の利用者がパーソナルコンピュータ１３（図３）の内部に備える感性情報設定部２（図１）に自己が所望する感性情報、「華やか」８０％、「穏やか」２０％（一例）をキーボード１１（図３）又はマウス１２（図３）用いて入力する。この動作は、処理対象としている画像の色調整を求める利用者が自己の感性に基づいて、予め定められている複数の感性語の中から設定する感性語とその比率を入力する感性語入力手順である。
【００２９】
ステップＳ１−２
感性情報変換部３（図１）は、個別感性情報のずれ記憶部４から当該利用者の感性に基づく感性語「華やか」に対応する感性調整値（３、０）及び感性語「穏やか」に対応する感性調整値（０、０）を読み出す。
【００３０】
ステップＳ１−３
感性情報変換部３（図１）は、読み出した感性語「華やか」に対応する感性調整値（３、０）と感性語「穏やか」に対応する感性調整値（０、０）から感性情報、「華やか」８０％、「穏やか」２０％の空間座標を（３、０）×０．８＋（０、０）×０．２＝（２．４、０）として求め、この（２．４、０）を感性調整値と定める。このステップは、設定された感性語の感性調整値を標準者と利用者個人の感性の差異に基づいて、予め入力されている、標準者の感性に基づく感性調整値から算出する感性調整情報算出手段である。
【００３１】
ステップＳ１−４
画像処理パラメータ導出部５（図１）は、感性調整値（２．４、０）に対応する色調整パラメータを基準感性情報データベース１から読み出す。このステップは、上記設定された感性語の感性調整値に基づいて、その感性調整値に対応する所定の色調整パラメータを選択する色調整パラメータ選択手順である。
【００３２】
ステップＳ１−５
画像処理部６（図１）は、対象画像を受け入れて上記ステップＳ１−４で読み出した色調整パラメータで画像処理し、処理画像として出力してフローを終了する。このステップは、上記所定の色調整パラメータに基づいて上記被処理画像を処理する画像処理手順である。
【００３３】
以上のフローは、ステップＳ１−２に於いて個別感性情報のずれ記憶部４（図１）から当該利用者の感性に基づく感性語「華やか」に対応する感性調整値（３、０）及び感性語「穏やか」に対応する感性調整値（０、０）を読み出したが、この当該利用者の感性に基づく感性語「華やか」に対応する感性調整値（３、０）及び感性語「穏やか」に対応する感性調整値（０、０）が未だ個別感性情報のずれ記憶部４（図１）に格納されていない場合の利用者個人の感性情報取得方法について他の図を用いて詳細に説明する。
【００３４】
図５は、利用者個人の感性情報取得のフローチャートである。
図に示す利用者個人の感性情報取得の動作についてステップＳ２−１からステップＳ２−４までステップ順に説明する。
ステップＳ２−１
アンケートする感性語「華やか」の空間座標（４、０）、及びその周辺の空間座標（３、０）、（５、０）、（４、−１）、（４、１）に対応する画像処理パラメータによって処理された画像が感性情報設定部２（図１）となるパーソナルコンピュータ１３（図３）のディスプレイ上に表示される。
【００３５】
ステップＳ２−２
利用者は、ディスプレイ上に表示される画像の中から自己の感性による最適の画像を選択する。ここでは一例として感性語「華やか」では空間座標（３、０）に基づく画像が、利用者の感性に基づく感性語の感性調整値となる。
【００３６】
ステップＳ２−３
利用者の感性に基づく感性語「華やか」に対応する感性調整値として（３、０）が、個別感性情報のずれ記憶部４に格納される。
ステップＳ２−４
次にステップＳ２−１へ戻って、感性語「穏やか」がアンケートされ、同様のステップを辿って利用者の感性に基づく感性語「穏やか」に対応する感性調整値として（０、０）が、個別感性情報のずれ記憶部４に格納されてフローを終了する。
【００３７】
上記説明では、基準感性情報データベース１が請求項に於ける第１の記憶部に、感性情報変換部３が請求項に於ける演算部に、個別感性情報のずれ記憶部が請求項に於ける第２の記憶部に、画像処理パラメータ導出部５が請求項に於ける選択部に、それぞれ該当する。
【００３８】
〈具体例１の効果〉
以上説明したように、利用者の感性に基づく感性語の感性調整値を記憶する個別感性情報のずれ記憶部を備え、この感性調整値に基づいて色調整パラメータを設定することにより複数の利用者が存在し、それぞれの利用者毎に感性語に対する感性が異なる場合であってもデータベースに保持するデータ量をより少なくした画像処理装置、及び評価試験（アンケート調査）を最低回数に抑えた画像処理方法の実現を可能にするという効果を得る。
【００３９】
〈具体例２の構成〉
具体例１では、個別感性情報のずれ記憶部に、利用者個人の感性に基づく感性語の感性調整値を記憶する事としたが、人間の感性は、時間を経る事によって、あるいは又、処理対象となる画像が異なることによって変化する事もあり得る。そこで、本具体例では、既に個別感性情報のずれ記憶部に格納されている利用者個人の感性に基づく感性語の感性調整値を必要に応じて、容易に変更できる手段を提供する。かかる目的を達成するために具体例２の画像処理装置は次のように構成される。
【００４０】
図６は、具体例２の構成のブロック図である。
具体例１との差異のみについて説明する。
図に示すように、具体例２の画像処理装置では、ずれ情報変更部２１とユーザ指示部が新たに配置される。
【００４１】
ずれ情報変更部２１は、利用者個人の感性に基づく感性語に対応する感性調整値を変更する部分である。この部分は利用者個人の感性に基づく感性語の感性調整値を必要に応じて変更するために新たに設けられても良いが、具体例１の感性情報変換部３（図１）が、この役目を兼ねる事としても良い。その内部には標準画像データベース２２を有している。
【００４２】
標準画像データベース２２は、例えば、感性語「華やか」の空間座標（４、０）、及びその周辺の空間座標（３、０）、（５、０）、（４、−１）、（４、１）に対応する画像処理パラメータによって画像処理が実行される場合を例に取ると、その画像処理が実行される前の被処理画像を格納しておく部分である。
【００４３】
具体例１では、この画像を特に限定していないのは、そのときに処理が求められている画像そのものを用いることができるからである。しかし、具体例２では、個別感性情報のずれ記憶部に格納されている利用者個人の感性に基づく感性語の感性調整値を変更しようとする時は、必ずしも画像処理が求められている時と一致しない場合があるからである。更に、変化の有無を検出するためには、その基本となる画像が一致していることが好ましいからでもある。
【００４４】
ユーザ指示部２３は、利用者個人の感性に基づく感性語に対応する感性調整値を取得する場合に、利用者の意志による処理の実行・選択を可能とする部分である。この部分は利用者個人の感性に基づく感性語の感性調整値を必要に応じて変更するために新たに設けられても良いが、具体例１の感性情報設定部２（図１）が、この役目を兼ねる事としても良い。
他の構成部分は全て具体例１と同様なので説明を省略する。
【００４５】
〈具体例２の動作〉
図７は、具体例２の動作のフローチャートである。
図に示す具体例２の画像処理装置の動作についてステップＳ３−１からステップＳ３−８までステップ順に説明する。
【００４６】
ステップＳ３−１
利用者がユーザ指示部２３（図６）に利用者個人の感性に基づく感性語の感性調整値変更の意志を示すと、ずれ情報変更部２１（図６）は、ユーザ指示部２３（図６）のディスプレイ上に変更可能な感性語（個別感性情報のずれ記憶部４（図６）に格納されている感性語）を表示する。例えば感性語「華やか」、「穏やか」、「派手」等と表示される。
【００４７】
ステップＳ３−２
利用者が、マウス１２（図３）等を用いて変更しようとしている感性語を選択する。ここでは「華やか」を選択したとする。
ステップＳ３−３
ずれ情報変更部２１（図６）は、個別感性情報のずれ記憶部４（図６）に格納されている感性語「華やか」の空間座標（３、０）を読み出して、さらに、その周辺の座標（例えば（２、０）、（４、０）、（３、−１）、（３、１））を読み出す。読み出した空間座標（感性調整値）を用いて基準感性情報データベース１（図６）から対応する色調整パラメータ（ｋ１（３、０）、ｋ２（２、０）、ｋ３（４、０）、ｋ４（３、−１）、ｋ５（３、１））を導出する。
【００４８】
ステップＳ３−４
ずれ情報変更部２１（図６）は、色調整パラメータ、ｋ１、ｋ２、ｋ３、ｋ４、ｋ５を用いて標準画像データベース２２（図６）に格納されている所定の画像を画像処理し、ｄ１（３、０）、ｄ２（２、０）、ｄ３（４、０）、ｄ４（３、−１）、ｄ５（３、１）それぞれの画像をユーザ指示部２３（図６）のディスプレイ上表示する。
【００４９】
ステップＳ３−５
利用者は、画像、ｄ１（３、０）、ｄ２（２、０）、ｄ３（４、０）、ｄ４（３、−１）、ｄ５（３、１）の内から最も感性語「華やか」にふさわしいと感じる画像をマウス１２（図３）等を用いて選択する。ここでは画像ｄ２が選択されたと仮定する。即ち、利用者個人の感性に基づく感性語「華やか」の空間座標として（２、０）が選択された事になる。
【００５０】
ステップＳ３−６
利用者は、終了判定を実行し、他に変更すべき感性語が無ければフローを終了し、他に変更すべき感性語があればステップＳ３−１へ戻り再度同様のステップを繰り返す。ここでは、他には無いと仮定する。
【００５１】
ステップＳ３−７
ずれ情報変更部２１（図６）は、個別感性情報のずれ記憶部４（図６）に格納されている感性語「華やか」の空間座標（３、０）を（２、０）に変更してフローを終了する。
【００５２】
〈具体例２の効果〉
以上説明したように、基準感性情報データベースと個別感性情報のずれ記憶部との間に、ずれ情報変更部を設けることによって既に個別感性情報のずれ記憶部に格納されている利用者個人の感性に基づく感性語の感性調整値を必要に応じて、容易に変更できるという効果を得る。
【００５３】
【発明の効果】
以上説明したように、複数の感性語のそれぞれに対する標準者の感性に基づく感性調整値と、該感性調整値のそれぞれに対応する色調整パラメータを記憶する第１の記憶部と、被処理画像に対する利用者個人の色調整要求を該利用者個人の感性に基づいて複数の感性語の中から設定させる感性情報設定部と、前記利用者個人の感性に対する感性調整値を記憶する第２の記憶部と、感性語の感性調整値を前記標準者と利用者個人の感性の差異に基づいて標準者の感性に基づく感性調整値から算出する演算部とを備えることにより、利用者毎に感性語に対する感性が異なる場合であっても第１の記憶部に保持するデータ量をより少なくした画像処理装置、及び評価試験（アンケート調査）を最低回数に抑えた画像処理方法の実現を可能にするという効果を得る。
【図面の簡単な説明】
【図１】具体例１の構成のブロック図である。
【図２】感性語空間の説明図である。
【図３】本発明の適用システムの構成図である。
【図４】具体例１の動作のフローチャートである。
【図５】利用者個人の感性情報取得のフローチャートである。
【図６】具体例２の構成のブロック図である。
【図７】具体例２の動作のフローチャートである。
【符号の説明】
１  基準感性情報データベース
２  感性情報設定部
３  感性情報変換部
４  個別感性情報のずれ記憶部
５  画像処理パラメータ導出部
６  画像処理部
７  制御部
【図１】
2005020344.tif 000003
【図２】
2005020344.tif 000004
【図３】
2005020344.tif 000005
【図４】
2005020344.tif 000006
【図５】
2005020344.tif 000007
【図６】
2005020344.tif 000008
【図７】
2005020344.tif 000009